(57)【要約】【課題】既設のキャビネットの底板の補強を容易に行なうことができ、しかもキャビネットの内部の見映えを悪化させることのないキャビネットの底板の補強器具を提供する。【解決手段】補強器具１は、上部のフランジ部４が皿ネジ１１により底板１４に固定されるとともに、底板１４に開けた孔８を通して下方に延出して下端が床面９に接しているので、重量物１０の荷重は補強器具１を介して床面９に伝わる。補強器具１の取り付けは、底板１４に孔８を穿孔する作業およびフランジ部４を底板１４にネジ止めする作業のみでよいため、容易に行なうことができる。また、底板１４の上部に露出するフランジ部４は、重量物１０が載置されて隠蔽されるので、見映えを悪化させることもない。【選択図】　図２
2004008618.tif 000002
【特許請求の範囲】
【請求項１】
キャビネットの底板を補強するための補強器具であって、ボルトおよび該ボルトに螺結されるフランジ付ナットにより構成されるとともに、前記フランジ付ナットのフランジ部が、前記底板に対して固定可能であることを特徴とするキャビネットの底板の補強器具。
【請求項２】
前記ボルトは、工具と嵌合可能な端面を有し、該工具による回転動作によって回転可能であることを特徴とする請求項１に記載のキャビネットの底板の補強器具。
【発明の詳細な説明】
【０００１】
【発明の属する技術分野】
本発明は、洗面化粧台などのキャビネットの底板の補強器具に関するものである。
【０００２】
【従来の技術】
従来より、洗面化粧台などの下部に設けられたキャビネットの内部を、石鹸や洗剤といったストック品などの収納空間として利用することは広く行なわれている。図４は、従来のこの種のキャビネット１３の斜視図である。キャビネット１３の底板１４は、図４に示すように支持部材１５の上に載置された後、図５の部分断面図に示すように複数のビス１６により支持部材１５に固定される。キャビネット１３の内部に重量物を収納することは、以前はあまり想定されなかったため、底板１４は比較的薄い（３〜５ｍｍ程度）木材などで作られていた。
【０００３】
近年、洗面化粧台の水栓からも湯を吐出させて快適に洗面などを行ないたい、というニーズから、洗面化粧台のキャビネット１３に電気温水器を設置することも行なわれるようになってきた。ところが、内部に湯を満載したタンクを備えた電気温水器は重量物であるため、これを薄い底板１４に載せることはできない（底板１４が破壊する）。キャビネット１３の内部に重量物を設置することが予めわかっているのであれば、底板１４を厚く丈夫にするなどしておけばよいが、既設の（底板１４が薄い）キャビネット１３に重量物を載せるためには、底板１４を補強しなければならない。
【０００４】
補強方法としては、ビス１６を外して底板１４を取り外し、重量物が載せられる部位の直下の床面９上にスペーサーを置き、再び底板１４を支持部材１５の上に載せてビス１６で固定する方法がある。こうすれば、重量物の荷重をスペーサーを介して床面９で支えることができる。この場合スペーサーは、底板１４下面と床面９との隙間に相当する厚みであることが求められる。また別の方法として、底板１４の上面に補強板を渡してその上に重量物を載せるようにしてもよい。
【０００５】
【発明が解決しようとする課題】
しかしながら、底板１４の下部にスペーサーを置く方法は、底板１４を取り外す作業が面倒であることに加え、スペーサーの厚みの調整（高さ調整）にも手間がかかるという問題があった。一方、底板１４の上面に補強板を渡す方法は、むきだしの補強板が、キャビネット１３の内部の見映えを悪化させてしまう。
【０００６】
本発明は、上記課題を解決するためになされたもので、本発明の目的は、既設のキャビネットの底板の補強を容易に行なうことができ、しかもキャビネットの内部の見映えを悪化させることのないキャビネットの底板の補強器具を提供することにある。
【０００７】
【課題を解決するための手段およびその作用・効果】
上記課題を解決するために請求項１は、キャビネットの底板を補強するための補強器具であって、ボルトおよび該ボルトに螺結されるフランジ付ナットにより構成されるとともに、前記フランジ付ナットのフランジ部が、前記底板に対して固定可能であることとした。よって、キャビネットの底板に開けた小孔にボルトを通し、このボルトに螺結されるフランジ付ナットのフランジ部を底板に固定するという簡単な構成で、既設のキャビネットの底板を補強することができる。この場合、底板に対する加工は小孔の穿孔だけでよいため作業が容易である。またフランジ部は、補強作業後の重量物の載置により隠蔽されるので、見映えを悪化させることもない。
【０００８】
請求項２では、請求項１に記載のキャビネットの底板の補強器具であって、前記ボルトは、工具と嵌合可能な端面を有し、該工具による回転動作によって回転可能であることとした。よって、フランジ部を底板に固定した後であっても、ドライバーなどの工具によりボルトを回転させて床面からフランジ部までの距離を最適な長さに調節できるので、補強作業時の高さ調整が極めて容易である。
【０００９】
【発明の実施の形態】
以下、本発明の実施の形態を、図面により詳細に説明する。
【００１０】
図１は、本発明の一実施例である補強器具１を取り付けたキャビネット１３の斜視図である。キャビネット１３の底板１４は、図１に示すように支持部材１５の上に載置され、図示しない複数のビスにより支持部材１５に固定されている。補強器具１は、重量物（例えば電気温水器）１０が載置される下部の底板１４に固定されて底板１４を補強するものである。
【００１１】
図２は、図１の部分断面図である。図２に示すように補強器具１は、上部のフランジ部４が皿ネジ１１により底板１４に固定されるとともに、底板１４に開けた孔８（開口場所は任意）を通して下方に延出して下端が床面９に接している。この状態で底板１４の上に重量物１０が載せられた場合、重量物１０の荷重は補強器具１を介して床面９に伝わるので、補強器具１は底板１４の補強の役割を果たす。補強器具１の取り付けは、底板１４に孔８を穿孔する作業およびフランジ部４を底板１４にネジ止めする作業のみでよいため、容易に行なうことができる。また、底板１４の上部に露出するフランジ部４は、重量物１０が載置されて隠蔽されるので、見映えを悪化させることもない。なお、補強器具１の下端の１２は、補強器具１の起立安定性を高めるためのナットである。
【００１２】
図３は、補強器具１の詳細図である。補強器具１は、フランジ付ナット２およびボルト３から構成され、フランジ付ナット２のナット部５とボルト３とが螺結している。ナット部５は、ボルト３との螺結長さを調節するのに十分な長さを有している。そして、この螺結長さを変えることにより、補強器具１の全長寸法を調節することができる。また、ボルト３の上端面には、工具を嵌合させるためのすり割り６が設けられており、上部からマイナスドライバーなどの工具によってボルト３を回転できようにしている。補強器具１は、以上のような構成としているので、フランジ部４を底板１４に固定した後であっても、上部から工具でボルト３を回転させて床面９からフランジ部４までの距離を最適な長さに調節できるので、補強作業時の高さ調整が極めて容易である。
【００１３】
なお、フランジ部４を底板１４に固定するためのネジ穴７は、皿ネジ１１によりネジ固定できるような構造としている。これは、ネジの頭部がフランジ部４の上面より飛び出して、重量物１０の据え付けの邪魔にならないようにするための配慮である。また、すり割り６は、市販の工具の形状に合わせた形状を任意に採用してよい。
【００１４】
本実施例においては、フランジ部４を底板１４にネジ固定することで補強器具１の傾きやがたつきをなくしているが、底板１４の材質によりネジ固定が難しい場合には他の固定方法を採用してもよいし、あるいは固定を省略してもよい。また、底板１４に点検口などの開口部がある場合には、そこから補強器具１を底板１４の下部に持ち込んでスペーサー代わりに使用することもできる。
【図面の簡単な説明】
【図１】本発明の一実施例である補強器具１を取り付けたキャビネット１３の斜視図
【図２】図１の部分断面図
【図３】補強器具１の詳細図
【図４】従来のキャビネット１３の斜視図
【図５】図４の部分断面図
【符号の説明】
１…補強器具
２…フランジ付ナット
３…ボルト
４…フランジ部
５…ナット部
６…すり割り
７…ネジ穴
８…孔
９…床面
１０…重量物
１１…皿ネジ
１２…ナット
１３…キャビネット
１４…底板
１５…支持部材
１６…ビス
【図１】
2004008618.tif 000003
【図２】
2004008618.tif 000004
【図３】
2004008618.tif 000005
【図４】
2004008618.tif 000006
【図５】
2004008618.tif 000007